(57)【要約】【課題】本発明は通信端末装置に関し、従来に比して使い勝手を向上し得るようにする。【解決手段】記憶手段（１２）に記憶されたデータを通信手段（８、１０）を介して通信装置に転送するデータ転送処理、又は通信手段を介して通信装置からデータを受けて記憶手段に記憶するデータ受信転送処理のうち少なくとも一方を行う転送手段（２３）と、データ転送処理又はデータ受信転送処理を行うか否か判断する転送制御手段（２２）とを設けたことにより、記憶手段の記憶容量が足りない場合にはデータを通信装置に転送して記憶し得、また再生時に記憶手段に記憶されているデータが残り少なくなれば通信装置からデータを補充し得、かくして従来に比して使い勝手を向上し得る。【選択図】図２
2006345567.tif 000002
【特許請求の範囲】
【請求項１】
所定の通信装置と通信する通信端末装置において、
上記通信装置と通信するための通信手段と、
所定のデータを記憶するための記憶手段と、
上記データを再生するための再生手段と、
上記記憶手段に記憶しようとする上記データ又は上記記憶手段に記憶された当該データを上記通信手段を介して上記通信装置に転送して当該通信装置側に記憶させるデータ転送処理、及び上記通信手段を介して上記通信装置から上記データを受けて上記記憶手段に記憶するデータ受信転送処理を行う転送手段と、
上記記憶手段に上記データを記憶するとき、当該記憶手段のデータ量が所定の第１の閾値を越える場合には、上記データ転送処理を行うように上記転送手段を制御すると共に、上記記憶手段に記憶されている上記データを上記再生手段により再生するとき、当該記憶手段の上記データ量が所定の第２の閾値を下回る場合には、上記データ受信転送処理を行うように上記転送手段を制御する転送制御手段と
を具えることを特徴とする通信端末装置。
【請求項２】
上記通信手段は、
固定局として設けられた上記通信装置と無線回線を使用して通信する
ことを特徴とする請求項１に記載の通信端末装置。
【請求項３】
データ入力手段として所定の入力手段を有し、上記データ転送処理の対象となるデータは当該入力手段によつて入力されたデータである
ことを特徴とする請求項１に記載の通信端末装置。
【請求項４】
上記データ転送処理の対象となるデータは上記通信装置とは異なる他の通信装置との通信によつて得たデータである
ことを特徴とする請求項１に記載の通信端末装置。
【請求項５】
上記通信装置とは異なる他の通信装置と通信し、上記記憶手段に記憶されているデータを再生して当該他の通信装置に送出する
ことを特徴とする請求項１に記載の通信端末装置。
【請求項６】
データ出力手段として所定の出力手段を有し、上記記憶手段に記憶されたデータを再生して当該出力手段に送出する
ことを特徴とする請求項１に記載の通信端末装置。
【請求項７】
上記データは、
音声データ又は音楽データ又は画像データである
ことを特徴とする請求項１に記載の通信端末装置。
【請求項８】
上記通信手段は上記通信装置との通信状態を監視しており、
上記転送制御手段は、
上記通信手段から受けた通信状態情報によつて通信状態が良好でないことが判明した場合には上記データ転送処理又は上記データ受信転送処理を中止する
ことを特徴とする請求項１に記載の通信端末装置。
【請求項９】
上記転送制御手段の判断によつて上記データ転送処理又は上記データ受信転送処理を中止したことを報知する報知手段
を具えることを特徴とする請求項９に記載の通信端末装置。
【請求項１０】
上記データ転送処理又は上記データ受信転送処理を処理中であることを報知する報知手段
を具えることを特徴とする請求項１に記載の通信端末装置。
【請求項１１】
通信装置と、当該通信装置と通信する通信端末装置とからなる通信システムにおいて、
上記通信端末装置は、
上記通信装置と通信するための第１の通信手段と、
所定のデータを記憶するための第１の記憶手段と、
上記データを再生するための再生手段と、
上記第１の記憶手段に記憶しようとする上記データ又は上記第１の記憶手段に記憶された当該データを上記第１の通信手段を介して上記通信装置に転送して当該通信装置側に記憶させるデータ転送処理、及び上記第１の通信手段を介して上記通信装置から上記データを受けて上記第１の記憶手段に記憶するデータ受信転送処理を行う第１の転送手段と、
上記第１の記憶手段に上記データを記憶するとき、当該第１の記憶手段のデータ量が所定の第１の閾値を越える場合には、上記データ転送処理を行うように上記第１の転送手段を制御すると共に、上記第１の記憶手段に記憶している上記データを上記再生手段により再生するとき、当該第１の記憶手段の上記データ量が所定の第２の閾値を下回る場合には、上記データ受信転送処理を行うように上記第１の転送手段を制御する転送制御手段と
を具え、
上記通信装置は、
上記通信端末装置と通信するための第２の通信手段と、
所定の上記データを記憶するための第２の記憶手段と、
上記通信端末装置のデータ転送処理によつて送られてくる上記データを上記第２の通信手段を介して受けて上記第２の記憶手段に記憶する記憶処理、及び上記通信端末装置のデータ受信転送処理に応じて上記第２の記憶手段に記憶されている上記データを上記第２の通信手段を介して上記通信端末装置に転送する転送処理を行う第２の転送手段と
を具えることを特徴とする通信システム。
【請求項１２】
上記通信端末装置は、
固定局として設けられた上記通信装置と無線回線を使用して通信する
ことを特徴とする請求項１１に記載の通信システム。
【請求項１３】
上記通信端末装置は、
データ入力手段として所定の入力手段を有し、上記データ転送処理の対象となるデータが当該入力手段によつて入力される
ことを特徴とする請求項１１に記載の通信システム。
【請求項１４】
上記データ転送処理の対象となるデータは上記通信装置とは異なる他の通信装置との通信によつて得たデータである
ことを特徴とする請求項１１に記載の通信システム。
【請求項１５】
上記通信端末装置は、
上記通信装置とは異なる他の通信装置と通信し、上記第１の記憶手段に記憶されているデータを再生して当該他の通信装置に送出する
ことを特徴とする請求項１１に記載の通信システム。
【請求項１６】
上記通信端末装置は、
データ出力手段として所定の出力手段を有し、上記第１の記憶手段に記憶されたデータを再生して当該出力手段に送出する
ことを特徴とする請求項１１に記載の通信システム。
【請求項１７】
上記データは、
音声データ又は音楽データ又は画像データである
ことを特徴とする請求項１１に記載の通信システム。
【請求項１８】
上記第１の通信手段は上記通信装置との通信状態を監視しており、
上記転送制御手段は、
上記第１の通信手段から受けた通信状態情報によつて通信状態が良好でないことが判明した場合には上記データ転送処理又は上記データ受信転送処理を中止する
ことを特徴とする請求項１１に記載の通信システム。
【請求項１９】
上記通信端末装置は、
上記転送制御手段の判断によつて上記データ転送処理又は上記データ受信転送処理を中止したことを報知する報知手段
を具えることを特徴とする請求項１１に記載の通信システム。
【請求項２０】
上記通信端末装置は、
上記データ転送処理又は上記データ受信転送処理を処理中であることを報知する報知手段
を具えることを特徴とする請求項１１に記載の通信システム。
【請求項２１】
通信端末装置に設けられた記憶手段に所定のデータを記憶すると共に、当該記憶手段に記憶されている上記データを再生する場合に用いられるデータ記憶再生方法において、
上記記憶手段に上記データを記憶するとき、当該記憶手段のデータ量が所定の第１の閾値を越える場合には、上記記憶手段に記憶しようとする上記データ又は上記記憶手段に記憶された当該データを上記通信装置に転送するデータ転送ステツプと、
上記記憶手段に記憶されている上記データを再生するとき、当該記憶手段の上記データ量が所定の第２の閾値を下回る場合には、上記通信装置から上記データを受けて上記記憶手段に記憶するデータ受信ステツプと
を具えることを特徴とするデータ記憶再生方法。
【請求項２２】
上記通信端末装置は、
固定局として設けられた上記通信装置と無線回線を使用して通信する
ことを特徴とする請求項２１に記載のデータ記憶再生方法。
【請求項２３】
上記データは、
音声データ又は音楽データ又は画像データである
ことを特徴とする請求項２１に記載のデータ記憶再生方法。
【発明の詳細な説明】
【技術分野】
【０００１】
本発明は通信端末装置、通信システム及びデータ記憶再生方法に関し、例えば移動体通信システムにおいて音声等のデータを記憶再生する際に適用して好適なものである。
【背景技術】
【０００２】
近年、移動体通信システムとしてセルラー電話システムが実用化されている。このセルラー電話システムは、従来のような有線電話機と違つて移動しながらの通話が可能であり、モビリテイの増大した現代人のニーズにマツチして近年非常に普及している。
【０００３】
ここでこのセルラー電話システムについて、以下に具体的に説明する。図１１に示すように、一般にセルラー電話システム１は、大きく分けてユーザが持ち運んで利用する移動局としての携帯電話機２と、当該携帯電話機２と無線回線を介して通信する基地局装置３と、当該基地局装置３に対して通信回線５を介して接続される固定局としての有線電話機４とによつて構成されている。
【０００４】
このようなセルラー電話システム１において、携帯電話機２と有線電話機４との間で通話する場合には、まず携帯電話機２と基地局装置３との間で所定の無線回線を確立すると共に、基地局装置３と有線電話機４との間に通信回線５による通話回線を確立する。これにより携帯電話機２から送信された音声信号は基地局装置３によつて受信され、通信回線５を介して有線電話機４に送られる。これとは逆に有線電話機４から送信された音声信号は通信回線５を介して基地局装置３に送られ、当該基地局装置３から無線回線を介して携帯電話機２に送られる。従つて携帯電話機２と有線電話機４との間で音声信号の受渡しができ、通話することができる。
【０００５】
ここで図１２及び図１３を用いて携帯電話機２と有線電話機４の具体的な構成について説明する。図１２に示すように、携帯電話機２は大きく分けて、音声を集音して入力するマイク６、受信した通話相手の音声を出力するスピーカ７、基地局装置３に向けて送信する送信信号を所定の変調方式で変調する送信部８、当該送信部８によつて変調された送信信号を基地局装置３に向けて放射すると共に、基地局装置３から送信された信号を受信するアンテナ９、当該アンテナ９によつて得た受信信号を復調する受信部１０、携帯電話機２全体の動作を制御すると共に、通信処理全般を制御する制御部１１、及び音声データやその他の種々の情報を記憶する記憶部１２によつて構成されている。
【０００６】
このような構成を有する携帯電話機２において通話する場合、マイク６から集音された音声信号は制御部１１を介して送信部８に送られ、ここで所定の変調方式で変調された後、所定の周波数帯域に周波数変換され、アンテナ９を介して基地局装置３に向けて送信される。これに対して基地局装置３から送られてくる信号は受信部１０に送られ、ここでベースバンド帯域に周波数変換された後、音声信号に復調され、制御部１１を介してスピーカ７から出力される。
【０００７】
一方、図１３に示すように、有線電話機４は大きく分けて音声を集音して入力するマイク１３、受信した通話相手の音声を出力するスピーカ１４、携帯電話機２に送る送信信号を所定の変調方式で変調する送信部１５、当該送信部１５によつて変調された送信信号を通信回線５に送出すると共に、通信回線５を介して基地局装置３から送られてくる信号を受信する回線接続部１６、当該回線接続部１６によつて受信した受信信号を復調する受信部１７、及び有線電話機４全体の動作を制御すると共に、通信処理全般を制御する制御部１８によつて構成されている。
【０００８】
このような構成を有する有線電話機４において通話する場合、マイク１３から集音された音声信号は制御部１８を介して送信部１５に送られ、ここで所定の変調方式で変調された後、回線接続部１６を介して基地局装置３に向けて送信される。これに対して基地局装置３から送られてくる信号は受信部１７に送られ、ここで音声信号に復調された後、制御部１８を介してスピーカ１４から出力される。
【発明の開示】
【発明が解決しようとする課題】
【０００９】
ところで携帯電話機２においては、近年の高機能化の流れを受けて、通話相手の音声や自分が喋つた音声等を記憶部１２に記憶して後からそれを再生し得るようになされている。これによりユーザとしては必要な要件や重要な情報等を紙などに書き留める必要がなくなり、非常に便利である。
【００１０】
ところで携帯電話機２は可搬性を考慮すると一般に小型軽量であることが望まれる。またバツテリによつて駆動されることを考慮すると、低消費電力であることが望まれる。これらの理由により、音声等のデータ記憶のために用いられる記憶部１２としては極端に大容量の記憶手段を設けることができない。
【００１１】
このため記憶しようとするデータ量が極端に多い場合には、記憶部１２の記憶容量が足りなくなつて全データを記憶できなくなり、情報消失といつた問題が起きるおそれがある。また逆にデータを再生する場合には、記憶部１２の記憶容量以上のデータをユーザに提供することができないといつた不都合がある。
【００１２】
これを解決する方法として、記憶部１２を着脱自在のテープ状記録媒体やデイスク状記録媒体等によつて形成し、予備の記憶媒体をユーザが携帯して記憶容量が足りなくなつたら記憶媒体を交換する方法が考えられる。また同様にユーザが得たいデータが多量にある場合には、データを着脱自在のテープ状記録媒体やデイスク状記録媒体等にそれぞれ分けて記憶しておき、当該記録媒体を順次交換して行くことによつて所望量のデータを得る方法が考えられる。しかしながらこれらの方法では、ユーザの使い勝手が悪くなり、何ら問題を解決したことにはならないと思われる。
【００１３】
本発明は以上の点を考慮してなされたもので、従来に比して使い勝手を向上し得る通信端末装置及び通信システム、並びに簡易な構成で所望量のデータを記憶し得ると共に、所望量のデータをユーザに提供し得るデータ記憶再生方法を提案しようとするものである。
【課題を解決するための手段】
【００１４】
かかる課題を解決するため本発明においては、通信装置と通信するための通信手段と、所定のデータを記憶するための記憶手段と、データを再生するための再生手段と、記憶手段に記憶しようとするデータ又は記憶手段に記憶された当該データを通信手段を介して通信装置に転送して当該通信装置側に記憶させるデータ転送処理、及び通信手段を介して通信装置からデータを受けて記憶手段に記憶するデータ受信転送処理を行う転送手段と、記憶手段にデータを記憶するとき、当該記憶手段のデータ量が所定の第１の閾値を越える場合には、データ転送処理を行うように転送手段を制御すると共に、記憶手段に記憶されているデータを再生手段により再生するとき、当該記憶手段のデータ量が所定の第２の閾値を下回る場合には、データ受信転送処理を行うように転送手段を制御する転送制御手段とを設けるようにした。
【００１５】
従って本発明では、記憶手段にデータを記憶するとき、当該記憶手段のデータ量が所定の第１の閾値を越える場合にはデータを通信装置に転送して記憶するようにしたことにより、記憶手段の記憶容量が足りなくなつた場合でも記憶領域を確保してデータを消失することなく記憶し得る。
【００１６】
また記憶手段からデータを再生するとき、当該記憶手段のデータ量が所定の第２の閾値を下回る場合には通信装置と通信してデータを受け、記憶手段に記憶するようにしたことにより、記憶手段に記憶されたデータを再生する際に当該記憶手段に記憶されているデータが残り少なくなればデータを補充し得る。
【発明の効果】
【００１７】
上述のように本発明によれば、通信装置と通信するための通信手段と、所定のデータを記憶するための記憶手段と、データを再生するための再生手段と、記憶手段に記憶しようとするデータ又は記憶手段に記憶された当該データを通信手段を介して通信装置に転送して当該通信装置側に記憶させるデータ転送処理、及び通信手段を介して通信装置からデータを受けて記憶手段に記憶するデータ受信転送処理を行う転送手段と、記憶手段にデータを記憶するとき、当該記憶手段のデータ量が所定の第１の閾値を越える場合には、データ転送処理を行うように転送手段を制御すると共に、記憶手段に記憶されているデータを再生手段により再生するとき、当該記憶手段のデータ量が所定の第２の閾値を下回る場合には、データ受信転送処理を行うように転送手段を制御する転送制御手段とを設けるようにしたことにより、記憶手段にデータを記憶するとき、当該記憶手段の記憶容量が足りなくなつた場合でも記憶領域を確保してデータを消失することなく記憶し得、また記憶手段に記憶されたデータを再生する際に記憶手段に記憶されているデータが残り少なくなればデータを補充し得る。かくするにつき従来に比して使い勝手が向上した通信端末装置を実現し得る。
【発明を実施するための最良の形態】
【００１８】
以下図面について、本発明の一実施例を詳述する。
【００１９】
図１１との対応部分に同一符号を付して示す図１において、２０は本発明を適用した携帯電話機であり、２１は本発明を適用した有線電話機である。この実施例の場合には、携帯電話機２０の記憶部１２に音声等の所定のデータを記憶するとき、当該記憶部１２の記憶容量が足りなくなつたら自宅やオフイス等に設置されている有線電話機２１にそのデータを転送することにより情報消失といつた問題を未然に回避するようになされている。また記憶部１２に記憶されているデータを再生してスピーカ７から送出するとき、データが残り少なくなつたら有線電話機２１からデータを受け、当該記憶部１２にデータを補充することにより、記憶部１２の記憶容量以上のデータをユーザに提供し得るようになされている。
【００２０】
この点について、各装置の構成を示した図を参照しながら以下に具体的に説明する。
【００２１】
図１２との対応部分に同一符号を付した図２に示すように、携帯電話機２０は大きく分けて、音声を集音して入力するマイク６、受信した通話相手の音声を出力するスピーカ７、送信信号を所定の変調方式で変調する送信部８、送信信号を基地局装置３に向けて放射すると共に、基地局装置３からの信号を受信するアンテナ９、受信信号を音声信号に復調する受信部１０、通信処理全般を制御する制御部１１、新たに追加された転送制御部２２及び転送部２３によつて構成されており、転送制御部２２及び転送部２３を除いて図１２に示した携帯電話機２とほぼ同様に構成されている。
【００２２】
追加された転送制御部２２は記憶部１２のデータ量を監視するものであり、記憶部１２に音声等の所定のデータを記憶するとき、当該記憶部１２に記憶したデータ量が所定の閾値を越えたら、記憶容量不足が発生すると判断して転送部２３にそのデータを自宅やオフイスの有線電話機２１に転送するように指示を出す。また記憶部１２に記憶されているデータを再生するときには、当該記憶部１２に記憶されている残りデータ量が所定の閾値を下回つたら、転送先から逆にデータを送り返してもらうように転送部２３に指示を出す（以下、データを受信するような転送を受信転送と呼ぶ）。
【００２３】
転送部２３は転送制御部２２からの指示を受けて転送処理を実行するものである。すなわち記憶容量不足が発生してデータの転送指示を受けた場合には、転送先の有線電話機２１と通信回線を確立するように制御部１１に指示を出すと共に、通信回線確立後、まず有線電話機２１に転送要求を送出し、続いて記憶部２２に記憶されているデータを読み出して制御部１１を介して送信部８に送り、当該データを転送先の有線電話機２１に転送する。また転送先にあるデータを逆に携帯電話機２０に転送するような受信転送指示を受けた場合には、転送先の有線電話機２１と通信回線を確立するように制御部１１に指示を出すと共に、通信回線確立後、有線電話機２１に受信転送要求を送出して有線電話機２１からデータを転送させ、このデータを制御部１１を介して受けて記憶部１２に記憶する。
【００２４】
これに対して図１３との対応部分に同一符号を付した図３に示すように、有線電話機２１は大きく分けて、音声を集音して入力するマイク１３、受信した通話相手の音声を出力するスピーカ１４、送信信号を所定の変調方式で変調する送信部１５、送信信号を通信回線５に送出すると共に、通信回線５を介して送られてくる信号を受信する回線接続部１６、受信した受信信号を復調する受信部１７、通信処理全般を制御する制御部１８、新たに追加された記憶部２４及び転送部２５によつて構成されており、記憶部２４及び転送部２５を除いて図１３に示した有線電話機４とほぼ同様に構成されている。
【００２５】
追加された記憶部２４は携帯電話機２０から転送されてくるデータを記憶しておくための記憶手段である。この場合、記憶部２４としては転送されてくるデータを十分余裕を持つて記憶し得るように大容量のものが使用される。因みに、有線電話機２１に大容量の記憶部２４を設けることができる理由は、携帯電話機２０と違つて小型軽量化等といつた特別な制限を受けることがないからである。
【００２６】
また転送部２５は携帯電話機２０からの転送要求や受信転送要求を受けて転送処理を実行するものである。すなわち携帯電話機２０からの転送要求を制御部１８を介して受けた場合には、記憶部２４の記憶動作を準備し、転送要求に引き続いて転送されてくるデータを制御部１８を介して受け、これを記憶部２４に渡して記憶する。また携帯電話機２０からの受信転送要求を制御部１８を介して受けた場合には、記憶部２４からデータを読み出し、これを制御部１８を介して送信部１５に送り、携帯電話機２０に転送する。
【００２７】
ここでこのような転送処理と受信転送処理について、以下にフローチヤートを用いて具体的に説明する。
【００２８】
図４に示すように、この携帯電話機２０においては、転送制御部２２によつて記憶部１２のデータ量を調査することより転送処理又は受信転送処理を制御する。すなわちデータ記憶又はデータ再生を行うときには、ステツプＳＰ１から入つたステツプＳＰ２において、まず転送制御部２２が記憶部１２のデータ量を調査する。次のステツプＳＰ３では、その調査結果を基にデータ量が上限の閾値Ａを越えたか否か判定する。その結果、データ量が閾値Ａを越えていれば記憶容量が足りなくなるおそれがあるためデータ転送が必要であると判断してステツプＳＰ４に進み、越えていなければステツプＳＰ５に進む。
【００２９】
ステツプＳＰ４においては、転送処理に備えて通信状態の確認を行い、通信状態が良好であれば続くステツプＳＰ６に進み、ここで転送処理を行つて携帯電話機２０から有線電話機２１にデータを転送する。この処理が終了すると、再びステツプＳＰ２に戻つて記憶部１２のデータ量を調査する。
【００３０】
一方、ステツプＳＰ３においてデータ量が閾値Ａを越えていなければステツプＳＰ５に進むが、ここではデータ再生時に記憶部１２にあるデータ量が下限の閾値を下回つてデータ不足が発生するおそれがあるか否かを判定する。すなわちステツプＳＰ２における調査結果を基にデータ量が下限の閾値Ｂを下回つたか否か判定し、閾値Ｂを下回つていればデータ不足が発生すると判断してステツプＳＰ７に進み、閾値Ｂを下回つていなければデータ量が良好な状態にあるとして再びステツプＳＰ２に戻つて記憶部１２の調査を行う。
【００３１】
ステツプＳＰ７では、受信転送処理に備えて通信状態の確認を行い、通信状態が良好であれば続くステツプＳＰ８に進み、ここで受信転送処理を行つて有線電話機２１から携帯電話機２０にデータを転送する。この処理が終了すると、再びステツプＳＰ２に戻つて記憶部１２のデータ量を調査する。
【００３２】
ここで上述の処理手順における通信状態の確認について、図５に示すフローチヤートを用いて具体的に説明する。
【００３３】
転送処理や受信転送処理を行う場合には、上述したように通信状態の確認を行つてから処理を実行するが、その際、通信状態確認処理として図５に示すような処理を行う。すなわちステツプＳＰ１０から入つたステツプＳＰ１１において、まず転送制御部２２が制御部１１から無線通信状況の情報を入手する。この場合、制御部１１は基地局装置３から送られてくる電波の受信電界強度等を見て通信状態を監視しており、転送制御部２２から無線通信状況の要求が発生したとき、無線通信状況の情報としてその受信電界強度等でなる通信状態の情報を提供する。
【００３４】
次のステツプＳＰ１２では、制御部１１から受けた無線通信状況の情報を基に転送制御部２２は転送処理又は受信転送処理にあたつて無線通信状況が良好であるか否かを判断する。その結果、無線通信状況が良好であればステツプＳＰ１３の転送処理又は受信転送処理に進み、無線通信状況が良好でなければステツプＳＰ１４に進んで転送処理又は受信転送処理を中止すると共に、警告音をスピーカ７から送出してデータの過不足が生じることを明示する。すなわち転送処理ができなければ記憶部１２の記憶容量が足りなくなつてデータが記憶できなくなることを警告し、受信転送処理ができなければデータが足りなくなつて再生ができなくなることを警告する。
【００３５】
ステツプＳＰ１４の処理が終了すると、再びステツプＳＰ１１に戻り、無線通信状況の調査を繰り返す。このように転送処理又は受信転送処理を中止したときに再び無線通信状況を調査させるようにした理由は、無線通信状況が良好になつたときに即座に転送処理又は受信転送処理を実行してデータの過不足をできる限り無くすためである。
【００３６】
次に有線電話機２１側の処理も併記した図６に示すフローチヤートを用いて、転送処理について具体的に説明する。
【００３７】
上述したように記憶部１２のデータ量が閾値Ａを越えた場合には通信状態の確認を行つた上でデータの転送処理を実行するが、その際には転送処理として図６に示すような処理を行う。すなわち携帯電話機２０側では、ステツプＳＰ２０から入つたステツプＳＰ２１において、まず転送開始を明示する警告音をスピーカ７から送出する。この処理は転送制御部２２が制御部１１に警告音送出の指示を与えることによつて行われる。因みに、転送処理にあたつて警告音を送出する理由は、転送処理中に通信不可能なサービスエリア外に移動してしまうと転送処理ができなくなつてしまうので、警告音を送出して携帯電話機２０をサービスエリア外に移動させないようにユーザに促すためである。
【００３８】
次のステツプＳＰ２２では、転送制御部２２が有線電話機２１に転送するデータを調べ、データ量やデータの種別等を調べる。これが終わると次のステツプＳＰ２３に進み、ここで転送制御部２２から転送部２３にデータを転送するように指示を出す。これを受けた転送部２３は、次のステツプＳＰ２４において、まず有線電話機２１に転送要求を送信する。この場合、具体的には、転送部２３が制御部１１に転送要求を送信するように指示を与え、制御部１１が送信部８を介して転送要求を有線電話機２１に送信する。
【００３９】
有線電話機２１側では、ステツプＳＰ６０から入つたステツプＳＰ６１において、携帯電話機２０からの転送要求を転送部２５によつて受信すると、転送処理に備えて記憶部２４を記憶動作し得るように準備する。因みに、ここでは特に図示していないが、転送処理に備えた準備が完了した時点で携帯電話機２０に向けて準備完了の応答信号を送出するようにしても良い。
【００４０】
携帯電話機２０側では、転送要求の送出が終わると、次のステツプＳＰ２５に進み、転送部２３が有線電話機２１に対してデータを送信する。この場合、具体的には、転送部２３が記憶部１２に記憶されているデータを読み出し、それを制御部１１を介して送信部８に送ることによりデータ送信を行う。
【００４１】
一方、有線電話機２１側では、ステツプＳＰ６２に進み、ここで携帯電話機２０から送られてくるデータを受信し、次のステツプＳＰ６３においてその受信したデータを記憶部２４に記憶する。この処理が終了すると、有線電話機２１側はステツプＳＰ６４に進んで処理を終了する。
【００４２】
これに対して携帯電話機２０側では、データを送信し終えた後、続くステツプＳＰ２６に進む。ステツプＳＰ２６においては、転送制御部２２がステツプＳＰ２１で行つた警告音の送出を終了する。この処理が終了すると、転送制御部２２は次のステツプＳＰ２７に進み、図４に示したデータ量調査のステツプＳＰ２に戻る。
【００４３】
次に有線電話機２１側の処理も併記した図７に示すフローチヤートを用いて、受信転送処理について具体的に説明する。
【００４４】
上述したように記憶部１２のデータ量が閾値Ｂを下回つた場合には通信状態の確認を行つた上でデータの受信転送処理を実行するが、その際には受信転送処理として図７に示すような処理を行う。すなわち携帯電話機２０側では、ステツプＳＰ３０から入つたステツプＳＰ３１において、まず転送開始を明示する警告音をスピーカ７から送出する。受信転送処理においても、この処理は転送制御部２２が制御部１１に警告音送出の指示を与えることによつて行われる。
【００４５】
次のステツプＳＰ３２では、転送制御部２２が有線電話機２１に転送させるデータを調べ、データ量やデータの種別等を調べる。これが終わると次のステツプＳＰ３３に進み、ここで転送制御部２２から転送部２３に受信転送の指示を出す。これを受けた転送部２３は、次のステツプＳＰ３４において、有線電話機２１に受信転送要求を送信する。この場合、具体的には、転送部２３が制御部１１に受信転送要求を送信するように指示を与え、制御部１１が送信部８を介して受信転送要求を有線電話機２１に送信する。
【００４６】
有線電話機２１側では、ステツプＳＰ７０から入つたステツプＳＰ７１において、携帯電話機２０からの受信転送要求を転送部２５によつて受信すると、続くステツプＳＰ７２に進む。ステツプＳＰ７２では、転送部２５が要求されたデータを記憶部２４から読み出すことによつて受信転送処理に備えたデータ準備を行う。これが終わると続くステツプＳＰ７３に進み、ここで転送部２５が先程準備したデータを携帯電話機２０に転送する。この場合、具体的には、転送部２５が制御部１８を介してデータを送信部１５に渡すことによりデータ送信を行う。この処理が終了すると、有線電話機２１側ではステツプＳＰ７４に進んで処理を終了する。
【００４７】
一方、携帯電話機２０側では、受信転送要求の送信後、続くステツプＳＰ３５に進み、ここで転送部２３によつて有線電話機２１からのデータを受信する。この場合、具体的には、受信部１０によつて受信したデータを制御部１１を介して受けることにより、転送部２３はデータを受信する。
【００４８】
データを受信すると転送部２３は、次のステツプＳＰ３６において、その受信したデータを記憶部１２に記憶する。この処理が終了すると、次のステツプＳＰ３７において、転送制御部２２はステツプＳＰ３１で行つた警告音の送出を終了し、次のステツプＳＰ３８に進んで図４に示したデータ量調査のステツプＳＰ２に戻る。
【００４９】
以上の構成において、マイク６から集音した音声等のデータを記憶部１２に記憶しようとした場合、記憶部１２に記憶されたデータ量が閾値Ａを越えたら当該記憶部１２の記憶容量が足りなくなるおそれがあると判断し、転送制御部２２から転送部２３にデータの転送を指示する。これを受けた転送部２３は、転送要求を送信して有線電話機２１にデータ受信準備を行わせた後、記憶部１２からデータを読み出して有線電話機２１に転送する。有線電話機２１では、携帯電話機２０から送られてくるデータを転送部２５によつて受信し、それを記憶部２４に記憶する。これにより記憶部１２の記憶容量が足りなくなるような場合でも、記憶部１２に記憶されているデータを有線電話機２１の記憶部２４に転送記憶して記憶部１２の記憶容量を確保し得、従来のように記憶部１２の記憶容量が足りなくなつてデータを消失するようなこともなく、確実にデータを記憶し得る。
【００５０】
因みに、この場合には、データ量の上限閾値Ａを決め、記憶部１２のデータ量が当該上限閾値Ａを越えたら転送処理を開始しているため、記憶部１２の記憶容量が完全になくなる前にデータを転送できる。従つて記憶部１２の記憶容量がなくなつてから転送処理を開始したときのようにデータの一部が消失されてしまうようなことはない。
【００５１】
また記憶部１２に記憶したデータを再生しようとする場合には、記憶部１２に記憶されているデータ量が閾値Ｂを下回つたらデータが残り少ないと判断し、転送制御部２２から転送部２３にデータの受信転送を指示する。これを受けた転送部２３は、有線電話機２１に対して受信転送要求を送信する。有線電話機２１では、この受信転送要求を転送部２５によつて受信し、その要求に応じて記憶部２４に記憶されているデータを読み出す。そしてその読み出したデータを転送部２５により携帯電話機２０に送信する。携帯電話機２０では、この送られてくるデータを転送部２３によつて受信し、記憶部１２に記憶する。これにより再生時に記憶部１２に記憶されているデータが残り少なくなつた場合にも、有線電話機２１からデータを補充し得る。
【００５２】
因みに、この場合には、データ量の下限閾値Ｂを決め、記憶部１２のデータ量が当該下限閾値Ｂを下回つたら受信転送処理を開始しているため、記憶部１２のデータが完全になくなる前にデータを受信転送できる。従つて記憶部１２のデータがなくなつてから受信転送処理を開始したときのようにタイムラグが生じるようなことはない。
【００５３】
なお、この受信転送の機能は、単に記憶部１２に記憶し得なかつたために記憶部２４に転送記憶したデータを送り返してもらうときだけに効力を発揮するのではなく、むしろ記憶部１２だけでは記憶し得ないデータ量のデータをユーザに提供するときに効力を発揮する。例えば携帯電話機２０の記憶部１２に音楽データを記憶しておいて屋外で聞くような場合、当該記憶部１２に記憶しきれないデータを予め有線電話機２１の記憶部２４に記憶しておく。そして携帯電話機２０において記憶部１２のデータを再生して行つたとき、データが残り少なくなつたら有線電話機２１からデータを転送し、データを補充する。これにより携帯電話機２０の記憶部１２に記憶しきれない量のデータであつてもユーザに容易に提供し得る。
【００５４】
以上の構成によれば、記憶部１２に所望のデータを記憶しようとした場合、記憶部１２の記憶容量が足りなくなりそうであれば自宅やオフイス等に設置してある有線電話機２１にデータを転送して当該有線電話機２１の記憶部２４に記憶するようにしたことにより、従来のように予備の記憶媒体を持ち歩かなくてもデータ消失等なく確実にデータを記憶し得る。
【００５５】
また以上の構成によれば、記憶部１２に記憶してあるデータを再生しようとした場合、記憶部１２のデータ量が残り少なくなつたら自宅やオフイス等に設置してある有線電話機２１からデータを転送するようにしたことにより、記憶部１２にデータを補充し得、記憶部１２の記憶容量以上のデータを容易にユーザに提供し得る。
【００５６】
かくするにつき従来に比して使い勝手を向上し得る携帯電話機２０を容易に実現し得る。
【００５７】
なお上述の実施例においては、データ転送時、記憶部１２に記憶されているデータを読み出して有線電話機２１に転送することにより記憶部１２の記憶容量を確保し、所望量のデータを記憶した場合について述べたが、本発明はこれに限らず、記憶部１２の記憶容量が足りなくなつたら記憶しようとするデータを有線電話機２１に転送して記憶部２４に記憶し、これによつて所望量のデータを記憶し得るようにしても良い。
【００５８】
また上述の実施例においては、無線通信状況が良好でないときに転送処理又は受信転送処理を中止した場合について述べたが、本発明はこれに限らず、有線電話機２１が話中のためビジー状態であるときにも転送処理又は受信転送処理を中止するようにしても良い。その場合にも、上述の場合と同様に転送処理又は受信転送処理ができないことを明示する警告音等を送出するようにすれば、転送処理又は受信転送処理ができないことをユーザは容易に知り得る。
【００５９】
また上述の実施例においては、無線通信状況が良好でないため転送処理又は受信転送処理を中止したときや、或いはデータの転送処理又は受信転送処理を行つているときに警告音をスピーカ７から送出してその旨をユーザに知らせた場合について述べたが、本発明はこれに限らず、発光ダイオード等の表示素子を設け、当該表示素子の点灯状態によつて転送処理又は受信転送処理を中止したことや処理中であることをユーザに明示するようにしても良い。またこれに限らず、液晶デイスプレイ等の表示素子を設け、当該表示素子に所定の文字や記号等を表示することによつて転送処理又は受信転送処理を中止したことや処理中であることをユーザに明示するようにしても良い。要は、所定の報知手段を設け、当該報知手段によつて転送処理又は受信転送処理を中止したことや処理中であることを明示するようにすれば同様の効果を得ることができる。
【００６０】
また上述の実施例においては、記憶部１２の記憶容量が足りなくなつたとき、自宅やオフイス等に設置されている有線電話機２１にデータを転送して記憶するようにした場合について述べたが、本発明はこれに限らず、図８に示すようにセルラー電話システムの制御局３０にデータ記憶用の記憶手段を設け、当該制御局３０においてデータ転送サービスを提供し得るようにし、携帯電話機２０の記憶部１２の記憶容量が足りなくなつたら制御局３０の記憶手段にデータを転送記憶するようにしても良い。要は、データの転送先として予め所定の記憶手段を用意しておき、その記憶手段にデータを転送するようにすれば上述の実施例と同様の効果を得ることができる。
【００６１】
また上述の実施例においては、自局のマイク６によつて集音した音声データを転送した場合について述べたが、本発明はこれに限らず、図９に示すように、基地局装置３を介して通話している他の携帯電話機３５からの音声データ（すなわち通話相手の音声データ）を記憶部１２に記憶するとき、当該記憶部１２の記憶容量が足りなくなつたら有線電話機２１に転送して記憶するようにしても良い。要は、転送するデータの供給元は限定されるものではない。
【００６２】
また上述の実施例においては、記憶部１２のデータを再生して自局のスピーカ７から送出した場合について述べたが、本発明はこれに限らず、図９に示すように、基地局装置３を介して通話している他の携帯電話機３５に対し、記憶部１２のデータを再生して送出するようにしても良い。要は、記憶部１２に記憶されているデータの送出先は限定されるものではない。
【００６３】
また上述の実施例においては、音声データを転送した場合について述べたが、本発明はこれに限らず、音声以外の例えば音楽データや画像データを転送するようにしても良い。例えば図１０に示すように、所望の風景を撮像装置４０によつて撮像する場合や、コンサート会場の音楽を集音装置４１によつて集音する場合、当該撮像装置４０や集音装置４１内の記憶手段の記憶容量が足りなくなつたら放送局４２に画像データや音楽データを転送して記憶するようにすれば上述の場合と同様の効果を得ることができる。
【００６４】
また上述の実施例においては、無線回線を使用して通信する移動体通信システムに本発明を適用した場合について述べたが、本発明はこれに限らず、有線回線を使用して通信する固定通信システムに本発明を適用しても同様の効果を得ることができる。
【００６５】
また上述の実施例においては、送信部８や受信部１０によつて通信した場合について述べたが、本発明はこれに限らず、所望の通信装置と通信するための通信手段が設けられていれば上述の場合と同様の効果を得ることができる。
【００６６】
また上述の実施例においては、セルラー電話システムに本発明を適用した場合について述べたが、本発明はこれに限らず、記憶手段に対して所定のデータを記憶すると共に、当該記憶手段に記憶されているデータを再生するような通信端末装置であれば本発明を広く適用し得る。またこれに限らず、そのような通信端末装置によつて構成される通信システムであれば本発明を広く適用し得る。
【図面の簡単な説明】
【００６７】
【図１】本発明の一実施例によるデータ転送の説明に供するシステム構成図である。
【図２】実施例による携帯電話機の構成を示すブロツク図である。
【図３】実施例による有線電話機の構成を示すブロツク図である。
【図４】転送処理及び受信転送処理の説明に供するフローチヤートである。
【図５】通信状態確認処理の説明に供するフローチヤートである。
【図６】転送処理の説明に供するフローチヤートである。
【図７】受信転送処理の説明に供するフローチヤートである。
【図８】他の実施例の説明に供するシステム構成図である。
【図９】他の実施例の説明に供するシステム構成図である。
【図１０】他の実施例の説明に供するシステム構成図である。
【図１１】一般のセルラー電話システムの構成を示すシステム構成図である。
【図１２】従来の携帯電話機の構成を示すブロツク図である。
【図１３】従来の有線電話機の構成を示すブロツク図である。
【符号の説明】
【００６８】
１……セルラー電話システム、２、２０、３５……携帯電話機、３……基地局装置、４、２１……有線電話機、５……通信回線、６、１３……マイク、７、１４……スピーカ、８、１５……送信部、９……アンテナ、１０、１７……受信部、１１、１８……制御部、１２、２４……記憶部、１６……回線接続部、２２……転送制御部、２３、２５……転送部、３０……制御局、３１……電話局、３２……電話、４０……撮像装置、４１……集音装置、４２……放送局。
【図１】
2006345567.tif 000003
【図３】
2006345567.tif 000004
【図４】
2006345567.tif 000005
【図５】
2006345567.tif 000006
【図６】
2006345567.tif 000007
【図７】
2006345567.tif 000008
【図８】
2006345567.tif 000009
【図９】
2006345567.tif 000010
【図１０】
2006345567.tif 000011
【図１１】
2006345567.tif 000012
【図１２】
2006345567.tif 000013
【図１３】
2006345567.tif 000014
【図２】
2006345567.tif 000015